(57)【要約】      （修正有）【課題】操作レバーの操作により集塵箱が回転する塵取りにおいて、より簡易な構成で安全性が高く、壊れにくい構造を提供する。【解決手段】前面に掃き込み口が形成される箱状体からなる集塵箱１０と、前記集塵箱の各側面板を回転自在に軸支する、当該側面板のそれぞれに設けられる軸支部と、前記軸支部に一体に形成される前記回転軸に対して上方に延びる柄２０と、前記柄の上部近傍に設けられる、一部の可動部が上方に移動するように形成された操作レバー３０と、一端が前記集塵箱の一方の側面板の前記軸支部周りに固定され、他端が前記操作レバーの前記可動部に固定されたインナーワイヤー４０と、前記インナーワイヤーを摺動可能に保持し、前記操作レバーの可動部が上方に移動すると、前記集塵箱の掃き込み口が底面側から回転して下方を向くように、前記インナーワイヤーが固定された側の前記軸支部近傍に一端側が固定されるアウターチューブ５０とを設ける。【選択図】図１
0003183844.tif 000002
【実用新案登録請求の範囲】
【請求項１】
少なくとも底面板、左右の側面板、背面板を有し、前面に掃き込み口が形成される箱状体からなる集塵箱と、
前記集塵箱の重心よりも前方寄りに存する回転軸周りに、前記集塵箱の各側面板を回転自在に軸支する、当該側面板のそれぞれに設けられる軸支部と、
前記軸支部に一体に形成される前記回転軸に対して垂直に上方に延びる棒体からなる柄と、
前記柄の上部近傍に設けられる、少なくとも一部の可動部が上方に移動するように形成された操作レバーと、
一端が前記集塵箱のいずれか一方の側面板の前記軸支部周りに固定され、他端が前記操作レバーの前記可動部に固定されたインナーワイヤーと、
前記インナーワイヤーを内部に摺動可能に保持し、前記操作レバーの可動部が上方に移動すると、前記集塵箱の掃き込み口が底面側から回転して下方を向くように、前記インナーワイヤーが固定された側の前記軸支部近傍に一端側が固定されるアウターチューブと
を有する塵取り。
【請求項２】
前記アウターチューブは硬質の管体により形成され前記柄の一部を構成する請求項１に記載の塵取り。
【請求項３】
前記集塵箱は上面板を有するとともに、当該上面板の前縁に掃き込み口を塞ぐ蓋が回転自在に固定され、当該蓋は掃き込み口が上方を向いた状態で掃き込み口を塞ぐ位置に存するとともに、回転する動きを拘束されることで掃き込み口が側方及び下方に向いた状態では掃き込み口を塞がない位置に存するものである請求項１又は２に記載の塵取り。
【請求項４】
前記柄の上部は柄の長手方向に直交した棒状部分が形成され、前記操作レバーは当該棒状部分に略平行な前記可動部を構成する棒状部分を有する請求項１から３のいずれか１項に記載の塵取り。
【考案の詳細な説明】
【技術分野】
【０００１】
本考案はレバー操作により掃き込み口が下を向くように回転する機能を有する塵取りに関する。
【背景技術】
【０００２】
長い柄が設けられたいやゆる文化塵取りは、下方の集塵箱を地面に付かないように持ち上げると、集塵箱の重さで掃き込み口が上方に向くように形成されている。このような構造により文化塵取りは集塵箱が柄と平行になって薄くなるので収納スペースが少なくてすむという利点がある。
しかしながら、塵取りで集めたゴミをゴミ箱などに入れる際には、掃き込み口が上を向いているので手で集塵箱を持って掃き込み口が下になるように傾ける必要があり、不衛生であり、さらに柄と集塵箱の両方を持つ必要があり操作がしづらい。このような問題に対応するものとして、集塵箱の背面側が開くような構造を有するものもあるが、なんらかの原因でゴミを集塵箱に入れた状態で背面が開くとゴミが散らばってしまうとことがある。
【０００３】
このような問題に対して、下記特許文献には、コの字状のフレームに長い棒体を固定した引き上げ用ロッドの上端を柄の上方に設けた操作レバーと連結し、下端を集塵箱の両側面板の回転軸の近くで回転自在に固定した塵取りが示されている。
このような構造によれば操作レバーを引き上げると引き上げ用ロッドが上方に移動して集塵箱が吐き口が下を向くように回転するので、集塵箱に触ることなく片手で集塵箱内のゴミをゴミ箱などに入れることができる。
【先行技術文献】
【特許文献】
【０００４】
【特許文献１】特開平１１−２９９７１７号公報
【考案の概要】
【考案が解決しようとする課題】
【０００５】
しかしながら、上記特許文献１に記載の考案は、引き上げ用ロッドが上方に移動すると集塵箱の回転に伴い引き上げ用ロッドは柄から離れて再び近づくような動作をするので、柄と引き上げ用ロッドの間に手を挟むなどすると危険であり、また、このような引き上げロッドの動きを行うためにはコの字状のフレームから操作レバーまでの間が折れ曲がるようなリンクを形成しなければならず構造が複雑になる。また、この動きを引き上げロッドの撓みで吸収することが考えられるが、この場合、構造的に弱い連結部分が繰り返しの動作により疲労により機械的強度が低下し破壊に至る恐れが高い。
本考案はこのような問題に鑑みて、操作レバーの操作により集塵箱が回転する塵取りにおいて、より簡易な構成で安全性が高く、壊れにくい構造を提供することを課題とする。
【課題を解決するための手段】
【０００６】
上記課題を解決するために、本考案は次のような構成を有する。
請求項１に記載の考案は、少なくとも底面板、左右の側面板、背面板を有し、前面に掃き込み口が形成される箱状体からなる集塵箱と、前記集塵箱の重心よりも前方寄りに存する回転軸周りに、前記集塵箱の各側面板を回転自在に軸支する、当該側面板のそれぞれに設けられる軸支部と、前記軸支部に一体に形成される前記回転軸に対して垂直に上方に延びる棒体からなる柄と、前記柄の上部近傍に設けられる、少なくとも一部の可動部が上方に移動するように形成された操作レバーと、一端が前記集塵箱のいずれか一方の側面板の前記軸支部周りに固定され、他端が前記操作レバーの前記可動部に固定されたインナーワイヤーと、前記インナーワイヤーを内部に摺動可能に保持し、前記操作レバーの可動部が上方に移動すると、前記集塵箱の掃き込み口が底面側から回転して下方を向くように、前記インナーワイヤーが固定された側の前記軸支部近傍に一端側が固定されるアウターチューブとを有する塵取りである。なお、柄は軸支部に向かって途中で二股に分かれる形状の他、二本の柄がそれぞれの軸支部に下端で一体に形成され、上方でこれらの二本の柄が互いに連結するような場合も含まれる。
請求項２に記載の考案は、前記塵取りにおいて、前記アウターチューブは硬質の管体により形成され前記柄の一部を構成するものである。
請求項３に記載の考案は、前記塵取りにおいて、前記集塵箱は上面板を有するとともに、当該上面板の前縁に掃き込み口を塞ぐ蓋が回転自在に固定され、当該蓋は掃き込み口が上方を向いた状態で掃き込み口を塞ぐ位置に存するとともに、回転する動きを拘束されることで掃き込み口が側方及び下方に向いた状態では掃き込み口を塞がない位置に存するものである。
請求項４に記載の考案は、前記塵取りにおいて、前記柄の上部は柄の長手方向に直交した棒状部分が形成され、前記操作レバーは当該棒状部分に略平行な前記可動部を構成する棒状部分を有するものである。
【考案の効果】
【０００７】
請求項１に記載の考案は、アウターチューブ内を移動するインナーワイヤーの動きにより集塵箱を回転させるので、リンク構造で箱を回転させる場合に比較して簡易に構成でき、棒体が前後に移動するようなことがないので安全性が高く、複数回の使用による疲労も生じにくいので壊れにくい。
請求項２に記載の考案は、アウターチューブを柄の一部とすることで構造をさらに簡易にすることができる。
請求項３に記載の考案は、収納運搬時の掃き込み口が上に向いた状態において蓋が閉まるので衛生的であり、それ以外のときは蓋が開くので、使用時に蓋が邪魔になることがない。
請求項４に記載の考案は、柄の棒状部分を親指に掛けて、操作レバーの棒状部分を人指し指から中指までの少なくとも一つを掛けて握ることで可動部分が上方に移動するので、操作性がよく、また、操作レバー部分の構造も簡易にできる。
【図面の簡単な説明】
【０００８】
【図１】実施形態に係る塵取りの斜視図である。
【図２】実施形態に係る塵取りの正面図である。
【図３】（ａ）は実施形態に係る塵取りの側面図であり、（ｂ）は実施形態に係る塵取りの集塵箱を回転させた状態を示す側面図である。
【図４】変形例に係る蓋を有する塵取りの斜視図である。
【図５】（ａ）は変形例に係る蓋を有する塵取りの斜視図であり、（ｂ）は変形例に係る蓋を有する塵取りの集塵箱を回転させた状態を示す側面図である。
【図６】変形例に係るアウターチューブを柄と分離した塵取りの斜視図である。
【考案を実施するための形態】
【０００９】
以下、本考案の実施の形態について、図面を参照しながら説明する。
図１に本実施形態に係る塵取りＸの斜視図を示し、図２に塵取りＸの正面図を示し、図３（ａ）に塵取りＸの側面図を示す。塵取りＸは、集塵箱１０、柄２０、操作レバー３０、インナーワイヤー４０、アウターチューブ５０を有する。
集塵箱１０は、一面が開口した箱体であり底面板１１、左右の側面板１２、１２、上面板１３、背面板１４、掃き込み口１５から構成される。なお、集塵箱１０は使用に際しては図１、２の状態から底面１１が下方を向くように転倒し、掃き込み口１５が奥に、背面板１４が手前に移動する。このため、図１、２においては側面板は左側が右側となり、右側が左側となる。掃き込み口１５は上面板１３が底面板１１よりも短くなるように斜めに形成された開口であり、縁部はゴミが入りやすいように斜めに面取りがされている。また、両側面板１２、１２には回転軸が通る位置に貫通孔１２ａ、１２ａが設けられ、また、左の側面板１２にはインナーワイヤー４０の先端を固定するための溝を有する突起１２ｂが貫通孔１２ａより上面板１３寄りかつ背面板１４寄りに設けられている。貫通孔１２ａ、１２ａの位置は、集塵箱１０の重心よりもやや掃き込み口１５寄りに設けられ、これにより集塵箱１０が貫通孔１２ａ、１２ａで軸支されたときに背面板１４が下に位置するようになる。
【００１０】
柄２０は、左パイプ２１、アウターチューブ５０、右補助パイプ２２、持ち手２３とから構成される。持ち手２３は、柄２０の上端に設けられる後述する集塵箱１０の回転軸と平行に設けられる棒体である。左パイプ２１は持ち手２３の下面中心に上端が固定される金属製または合成樹脂製のパイプであり、持ち手２３から直角に集塵箱１０に向かい、途中で左（図１、２における右）に曲がり集塵箱１０の左の側面板１２を回り込んで下端部が左の側面板１２に直交して貫通孔１２ａに入るように形成されている。なお、貫通孔１２ａに入った下端部には外周に溝が形成されるとともに、当該溝にＣリングが嵌められることで貫通孔１２ａから抜けないようになっている。この左パイプ２１の下端部は貫通孔１２ａ部分を回転可能に保持する左側面の軸支部を形成する。アウターチューブ５０は左パイプ２１と同じ金属製又は合成樹脂製のパイプであり、左パイプ２１の上部の途中から左パイプ２１の背面側に一体となって集塵箱１０に向かい、左パイプ２１の屈曲位置から右（図１、２における左）に曲がり集塵箱１０の右の側面板１２を回りこんで下端は側面板１２と平行に向くように形成される。右補助パイプ２２はアウターチューブ５０の下端の途中からアウターチューブ５０の前面側に一体となって伸び、貫通孔１２ａの位置で直角に曲がって貫通孔１２ａに入るように形成された金属製又は合成樹脂製のパイプである。右補助パイプの貫通孔１２ａに入った端部も外周に溝が形成されるとともに、当該溝にＣリングが嵌められることで貫通孔１２ａから抜けないようになっている。この右補助パイプの貫通孔１２ａに入った端部は貫通孔１２ａ部分を回転可能に保持する右側面の軸支部を形成する。
【００１１】
操作レバー３０はアウターチューブ５０の上端部に摺動可能に挿入される縦棒部材３２と、縦棒部材３２の上端に固定される横棒部材３１とから構成される。なお、横棒部材３１と柄２０の持ち手２３とは手で握ることができる程度の距離となるようにアウターチューブ５０の上端側の長さが定められている。
インナーワイヤー４０は金属製のワイヤーであり、上端が操作レバー３０の縦棒部材３２の下端に固定され、下端は側面板１２の突起１２ｂの溝にリングを形成して固定される。インナーワイヤー４０は図１に示す状態で張った状態となるような長さに設定されている。これによって、操作レバー３０の横棒部材３１を握って上方に移動させると、図３（ｂ）に示すように突起１２ｂはインナーワイヤー４０により引き上げられてアウターチューブ５０の下端に近づき、これにより集塵箱１０は貫通孔１２ａ周りを回転することになる。なお、突起１２ｂの位置は操作レバー３０の横棒部材３１が柄２０の持ち手２３にほぼ接触した状態で、集塵箱１０の掃き込み口１５がやや下を向くように設定されている。
【００１２】
次に、以上のような構成を有する塵取りＸの使用方法について説明する。まず、収納運搬時には、柄２０を上方に位置させて集塵箱１０を吊り下げることで、図１、図２、図３（ａ）に示すように集塵箱１０の背面板１４が下になるにようにし、前後の幅をとらないようにする。そして、ゴミなどを集める際には、操作レバー３０の横棒部材３１を握って少し集塵箱１０を傾け、この状態で柄２０を下げて地面に集塵箱１０を接触させると集塵箱１０は回転して底面板１１が地面に接した状態で安定するので、このままゴミを集塵箱１０の掃き込み口１５へゴミ等を掃き入れて集める。なお、この状態において集塵箱１０は安定するので操作レバー３０の横棒部材３１は離してもよい。ゴミの収集が終わったら、柄２０を持ち上げれば集塵箱１０は自重により掃き込み口１５が上になるように回転して再び背面板１４が下になる。このあと、集めたゴミをゴミ箱や焼却炉に入れる際には、ゴミ箱等の上に集塵箱１０を位置づけて、この状態で操作レバー３０の横棒部材３１を握って集塵箱１０を図３（ｂ）の状態になるように回転させる。これによって、掃き込み口１５が下方に向くのでそのままゴミ等を落としてゴミ箱等に入れればよい。
本実施形態に係る塵取りＸは、集塵箱１０の回転をインナーワイヤー４０により突起１２ｂを引っ張ることで行っているので、棒体を用いてリンクを構成する場合に比較して簡易に形成することが可能である。さらに、アウターチューブ５０を柄２０の一部として用いているので外観もシンプルに構成することができる。
【００１３】
なお、上記実施形態に係る塵取りＸにおいて、掃き込み口１６に蓋が設けることもできる。図４に蓋１６を設けた塵取りＹの斜視図を示し、図５（ａ）に塵取りＹの側面図を示す。蓋１６は掃き込み口１５を塞ぐ大きさ及び形状を有する板体であり、集塵箱１０の上面板１３の縁部に回転自在に固定されている。蓋１６は中央にワイヤー１６ａの一端が固定されるとともに、当該ワイヤー１６ａの他端は柄２０の上方に固定される。これにより、図５（ｂ）に示すように操作レバー３０を操作して集塵箱１０を回転させると、蓋１６はワイヤー１６により動きが拘束されているので上方に残ることになる。即ち、集塵箱１０が下方に回転している状態では掃き込み口１５の蓋１６は自動的に開いた状態となる。
また、上記実施形態では、ワイヤーチューブ５０と柄２０とを一体に形成しているがこれらを別体とすることもできる。図６にワイヤーチューブ５０を柄２０Ａと分離させた塵取りＺの斜視図を示す。塵取りＺは柄２０Ａが下端において集塵箱１０の両側面を回転自在に保持するコの字状のフレームの中央に真っ直ぐな棒体を立設固定した形状を有し、持ち手２３Ａは柄２０の上端において左側に突出するように形成され、操作レバー３０Ａはこの持ち手２３Ａの下方において一端が回転自在に固定される棒体により形成されている。アウターチューブ５０Ａは柔らかい合成樹脂製のチューブであり、インナーワイヤー４０に対するアウターワイヤーを構成する。アウターチューブ５０Ａは途中で柄２０Ａに動かないように固定されている。このような構成によっても、操作レバー３０Ａを握ってインナーワイヤー４０を引くと、やはり突起１２ｂが移動して集塵箱１０を掃き込み口１５が下になるように回転させることができる。
さらに上記実施形態では柄２０は集塵箱１０近傍で二股に分かれるものを例示したが、集塵箱１０の両側面に二本の柄を回転自在に固定して、これを端部で連結するような形状にすることもできる。
【符号の説明】
【００１４】
Ｘ、Ｙ、Ｚ  塵取り
１０  集塵箱
１１  底面板
１２  側面板
１２ａ  貫通孔
１２ｂ  突起
１３  上面板
１４  背面板
１５  掃き込み口
１６  蓋
２０、２０Ａ  柄
２１  左パイプ
２２  右補助パイプ
２３  持ち手
３０  操作レバー
３１  横棒部材
３２  縦棒部材
４０  インナーワイヤー
５０  アウターチューブ
【図１】
0003183844.tif 000003
【図２】
0003183844.tif 000004
【図３】
0003183844.tif 000005
【図４】
0003183844.tif 000006
【図５】
0003183844.tif 000007
【図６】
0003183844.tif 000008